(57)【要約】【要約書】  【課題】ブラシを容易に着脱及び位置調整でき、かつ、バスマットにしっかりと固定できる足裏洗浄具を提供する。  【解決手段】  椅子設置部１０を備えたマット１の上面に、一対のフットブラシ３が設けられ、前記フットブラシ３が、前記マット１に設けられたレール状の第１の固定具４ａと、この固定具のレール部に嵌合する第２の固定具４ｂと、前記フットブラシを貫通する孔５を通して前記第２の固定具にネジ止めなどで結合する第３の固定具４ｃと、により前記マット１に固定されるように構成する。このような構成によると、着脱が容易でブラシを容易に着脱及び位置調整ができ、かつ、バスマットにしっかりと固定できる。この足裏洗浄具は、使用時には椅子設置部１０に椅子を置き、この上に人が座ると体重でマットがしっかりと固定されるため、足の裏をゴシゴシ激しくこすっても安定して使用することができる。【選択図】図１
0003104258.tif 000002
【実用新案登録請求の範囲】
【請求項１】
椅子設置部（１０）を備えたマット（１）の上面に、一対のフットブラシ（３、３）が設けられ、前記フットブラシ（３，３）が、前記マット（１）に設けられたレール状の第１の固定具（４ａ）と、この固定具のレール部に嵌合する第２の固定具（４ｂ）と、前記フットブラシを貫通する孔（５）を通して前記第２の固定具に結合する第３の固定具（４ｃ）と、により前記マット（１）に固定されることを特徴とする足裏洗浄具。
【請求項２】
前記第３の固定具（４ｃ）は頭部が丸いネジであり、前記第２の固定具にはこれに螺合するネジ孔（６）が設けられていることを特徴とする請求項１記載の足裏洗浄具。
【請求項３】
背部と毛部とからなり、略中央部に固定具貫通孔（５）が設けられた足裏洗浄用のフットブラシ（３）であって、請求項１記載の足裏洗浄具に適用できるフットブラシ。
【考案の詳細な説明】
【技術分野】
【０００１】
本考案は入浴時に使用される足裏洗浄具に関する。
【背景技術】
【０００２】
入浴の際、足の裏や足の指は洗いにくいため、種々の足裏専用の洗浄具が考案されている（下記特許文献参照）。
【０００３】
【特許文献１】特開２００３−３１０４７３号公報
【特許文献２】特開２０００−６０７５３号公報
【特許文献３】特開平１１−７００１７号公報
【特許文献４】実開平６−３３５９１号公報
【考案の開示】
【考案が解決しようとする課題】
【０００４】
しかし、足裏専用の洗浄ブラシは歯ブラシなどと同様の衛生用品であり、個々人で使用されるべきものであり、かつ、使う人の好みに合わせてブラシの毛の硬さを交換したりできることが望ましい。また、体格や好みに応じて両足にフィットするようにブラシの位置を調整できることが望ましい。その一方で、使用中はしっかりと固定されていなければならないため、バスマットの凹部などに嵌込むだけでは固定が不十分である。
【０００５】
本考案は、上記に鑑みてなされたものであり、ブラシを容易に着脱及び位置調整でき、かつ、バスマットにしっかりと固定できる足裏洗浄具を提供することを技術的課題とする。
【課題を解決するための手段】
【０００６】
本考案にかかる足裏洗浄具は、椅子設置部１０を備えたマット１の上面に、一対のフットブラシ３、３が設けられ、前記フットブラシ３，３が、前記マット１に設けられたレール状の第１の固定具４ａと、この固定具のレール部に嵌合する第２の固定具４ｂと、前記フットブラシを貫通する孔５を通して前記第２の固定具にネジ止めなどで結合する第３の固定具４ｃと、により前記マット１に固定されることを特徴とする。
【０００７】
さらに、前記第３の固定具４ｃは頭部が丸いネジであり、前記第２の固定具４ｂにはこれに螺合するネジ孔６が設けられる。このようにすると頭部が丸いので指でつまんでネジを回し易く、又洗浄時には丸い頭部が足裏に当たりつぼを刺激するのでマッサージ効果がいっそう高められる。
【０００８】
本考案にかかるフットブラシは、上記足裏洗浄具の構成部品として使用できるものであって、背部と毛部とからなり、略中央部に固定具貫通孔５が設けられていることを特徴とする。
【考案の効果】
【０００９】
上記構成によると、フットブラシの着脱が容易でありかつ使用時はしっかりと固定される。また、椅子設置部１０には浴室用の椅子が置かれ、これに座ることで体重によってマットがしっかりと固定されるので、椅子に座りながらフットブラシでゴシゴシと足裏をこすってもマットは全く動かないので安全である。
【考案を実施するための最良の形態】
【００１０】
以下実施例を示して本考案の構成と作用について説明する。
【実施例】
【００１１】
図１は本考案にかかる足裏洗浄具の使用時の様子を示す側面図であり、図２は平面図、図３は斜視図である。マット１の上に椅子２とフットブラシ３が設置されている。椅子２は椅子設置部１０に設置され、一対のフットブラシ３，３は椅子設置部の前方に固定部品４で固定されている。椅子設置部１０はマット上に浅い凹み部として構成しても、又は単にフラットなスペース部として構成されてもよい。
【００１２】
図４は、フットブラシ３の分解図である。マット１にはレール状の取付具４ａが設置され、この取付具４ａに嵌合する取付具４ｂがフットブラシ３の背部に設けられて、フットブラシ３の中央に設けられたネジ通し孔５を通してネジ４ｃで固定される。なお、取付具４ａをマット１に取り付ける手段は公知の手段を用いることができる。例えば、固定具４ａはマットに小さなネジで固定したり、或いは接着剤で固定しても良い。なお、固定具４ａ乃至４ｃは必ずしも金属である必要はなく、所定の強度が確保できればプラスチックその他の材料でもよい。
取付具４ａに取付具４ｂを嵌込んだ状態ではフットブラシ３を前後に移動させることができる。この状態でフットブラシが所望の位置にくるように調整した後、ネジ４ｃを締めて固定する。また、フットブラシ３は、ネジ４ｃを中心に回動可能に設定し、マット１に対して角度を付けて固定することもできる。
【００１３】
図５は、図２のＡ−Ａ矢視図であり、図６は、図３のＢ−Ｂ矢視図である。フットブラシ３が固定具４ａ乃至４ｃによりマット１に固定される様子が示されている。なお、この図のように、ネジ４ｃの頭部を丸めておくことで、足裏のつぼを刺激する効果が期待できる。つぼ刺激効果が不要な場合は、ネジ４ｃを小さくして足裏に当たらないようにしても良い。
【００１４】
（作用）
以上の構成により、着脱が容易でブラシを容易に着脱及び位置調整ができ、かつ、バスマットにしっかりと固定できる。この足裏洗浄具は、使用の際は椅子設置部１０に椅子を置き、この上に人が座ると体重でマットがしっかりと固定されるため、足の裏をゴシゴシ激しくこすっても安定して使用することができる。
また、フットブラシ３は固定具貫通孔５さえ持っていればこれを貫通して固定具４ａ，４ｂを固定できるので設計及び製作が容易であり、かつ、コストも抑えられる。従って、好みによってフットブラシの毛の堅さを変えたり、消耗時にも交換が容易である。また、各部品を分解できるため、カビ防止などのために各部品を時々洗浄・掃除したり、マット１やフットブラシ３を天日干ししたりすることも容易である。
【産業上の利用可能性】
【００１５】
本考案にかかる足裏洗浄用具は、足の裏のマッサージ効果及びストレッチの効果が期待される。また、体格や好みにあわせてブラシを交換でき、位置又は角度の調節もできるので、健常者はもちろん、子供や要介護者でも簡単に使用でき、いわゆるリラクゼーショングッズとしてその商品価値はきわめて高い。また、消耗部分であるフットブラシのみ交換すればよいため省コスト化に貢献し、産業上の利用可能性は絶大である。
【図面の簡単な説明】
【００１６】
【図１】本考案にかかる足裏洗浄具の使用時の様子を示す側面図である。
【図２】本考案にかかる足裏洗浄具の平面図である。
【図３】本考案にかかる足裏洗浄具の斜視図である。
【図４】実施例に示すフットブラシの分解図である。
【図５】図２のＡ−Ａ矢視図である。
【図６】図３のＢ−Ｂ矢視図である。
【符号の説明】
【００１７】
１  マット
２  椅子
３  フットブラシ
４ａ、４ｂ、４ｃ  固定具
５  固定具貫通孔
６  ネジ孔
１０  椅子設置部
【図１】
0003104258.tif 000003
【図２】
0003104258.tif 000004
【図３】
0003104258.tif 000005
【図４】
0003104258.tif 000006
【図５】
0003104258.tif 000007
【図６】
0003104258.tif 000008